(57)【特許請求の範囲】
【請求項１】
第１のケース体に第１の圧電体を収容した状態で回路基板に実装される第１の圧電トランスと、
第２のケース体に第２の圧電体を収容し、かつ前記第１の圧電トランスの上方に積載した状態で前記第１の圧電トランスを介して前記回路基板に実装され、前記回路基板上に投影した実装面積が前記第１の圧電トランスの前記回路基板内に占める実装面積の範囲内である第２の圧電トランスと
を備え、
前記第１及び第２のケース体は、
それぞれ側面から突出して形成された突出部を有しており、
前記第１の圧電トランスは、
前記第１のケース体の突出部を上下方向に貫通して延び、その下端部が前記回路基板の配線パターンに接続される第１の実装用端子として形成され、上端部が前記突出部の上面に沿って屈曲されて前記第２の圧電トランスと接続される第１の接続用端子として形成された第１の導電部材を有し、
前記第２の圧電トランスは、
前記第２のケース体の突出部を上下方向に貫通して延び、下端部が前記突出部の下面に沿って屈曲されて前記第１の圧電トランスの接続用端子と接続される第２の実装用端子として形成された第２の導電部材を有し、
前記第１の圧電トランス上に前記第２の圧電トランスを積載した状態で、前記第２の実装用端子と前記第１の接続用端子とが相互に接合されている
ことを特徴とする圧電トランス装置。
【請求項２】
請求項１に記載の圧電トランス装置であって、
前記第１及び第２のケース体は、互いに共通の所定形状を有する。
【請求項３】
請求項１乃至２のいずれかに記載の圧電トランス装置であって、
前記第１及び第２のケース体の各側面から前記第１の接続用端子及び前記第２の実装用端子が離隔して設けられていることにより、これらの間に接合作業用の空間が確保されている。
【請求項４】
請求項１乃至３のいずれかに記載の圧電トランス装置であって、
前記第１の圧電トランスは、
前記第１のケース体の上部に設けられ、前記第２の圧電トランスを積載した状態で前記第２のケース体を前記第１のケース体に対して位置決めする案内部を有する。
【請求項５】
請求項４に記載の圧電トランス装置であって、
前記案内部は、前記第１のケース体の上面から上方に突出しており、かつ、
前記突出部は、少なくとも前記第２のケース体の下面から下方に突出しており、
前記第２の圧電トランスが前記第１の圧電トランス上に積載された状態で、前記突出部が前記案内部に案内されることで前記第２のケース体が前記第１のケース体に対して位置決めされる。
【請求項６】
請求項１乃至５のいずれかに記載の圧電トランス装置であって、
前記突出部及び前記導電部材は、前記第１及び第２のケース体にそれぞれ４箇所ずつ設けられており、
前記第１の圧電トランスは、
前記第１のケース体に形成された４箇所の前記突出部のうち、２箇所については前記第１の実装用端子及び第１の接続用端子が前記圧電体の２つの一次側電極にそれぞれ接続されるとともに、その他の２箇所では一方の前記第１の実装用端子及び第１の接続用端子が前記圧電体の二次側電極に接続され、その他方の前記第１の実装用端子及び第１の接続用端子が前記圧電体とは非接続であり、
前記第２の圧電トランスは、
前記第２のケース体に形成された４箇所の前記突出部のうち、２箇所については前記第２の実装用端子が前記圧電体の２つの一次側電極にそれぞれ接続されるとともに、その他の２箇所では一方の前記第２の実装用端子が前記圧電体とは非接触であり、その他方の前記第２の実装用端子が前記圧電体の二次側電極に接続されており、
前記第１の圧電トランス上に前記第２の圧電トランスを積載した状態で、
前記第２の圧電トランスについて前記圧電体の二次側電極に接続された他方の前記第２の実装用端子は、前記第１の圧電トランスについて前記圧電体とは非接続である他方の前記第１の接続用端子と接合されており、かつ、前記第２の圧電トランスについて前記圧電体の二次側電極とは非接続である一方の前記第２の実装用端子は、前記第１の圧電トランスについて前記圧電体の二次側電極に接続された一方の前記第１の接続用端子と接合されている。
【請求項７】
請求項１乃至６のいずれかに記載の圧電トランス装置であって、
前記第１及び第２のケース体は、外側から視認可能な位置に互いの組み付け方向を指示する指示手段を有する。
【発明の詳細な説明】
【技術分野】
【０００１】
本発明は、例えば電子機器類の電源回路に用いられる圧電トランス装置に係り、特に複数個の圧電トランスを用いて変圧を行う圧電トランス装置に関するものである。
【背景技術】
【０００２】
この種の圧電トランス装置に関する先行技術として、例えば特開２００７−１６５３４２号公報の図３及び図４には、複数個の圧電トランスが上下に重ねて実装され、全体として実装面積が小さくされたものが開示されている。この先行技術によれば、複数個の圧電セラミックスが、各々のケース内に組み込まれた状態で積み重ねられ、一体化した状態で基板に実装される。従って、この先行技術によれば、横方向に圧電セラミックスを並べた構造と比較して、圧電トランスの実装面積が一つ分で済み、それだけ省スペース化を図ることができる。【０００３】
上述した先行技術は、実装部品の高密度化や電子機器の小型化に適した圧電トランス装置として優れた構造を提供したものであり、その技術的価値は依然として高いものである。その上で、本発明の発明者等は、先行技術を更に改良すべく、鋭意研究を重ねた。具体的には、発明者等は、先行技術の構造では上側のケース内に下側の圧電トランスが収納されているため、上側のケースの寸法が下側のケースよりも若干長く設定されており、それだけ実装面積が僅かに拡大されている点に着目し、研究を重ねた。
【発明の開示】
【０００４】
本発明の目的の一つは、より一層の実装面積の低減や、生産性の改善である。
本発明の発明者等は、少なくとも上下２段に重ねて実装される２つの圧電トランスについて、回路基板内で下段の圧電トランスが占める実装面積の範囲内（実装領域内）に２段目以降の圧電トランスを収めることで上記の目的を達成した。
【０００５】
本発明の一態様によれば、第１のケース体に第１の圧電体を収容した状態で回路基板に実装される第１の圧電トランスと、第２のケース体に第２の圧電体を収容し、かつ第１の圧電トランスの上方に積載した状態で第１の圧電トランスを介して回路基板に実装され、回路基板上に投影した実装面積が第１の圧電トランスの回路基板内に占める実装面積の範囲内である第２の圧電トランスとを備えた圧電トランス装置が提供される。
【０００６】
本発明の一態様の圧電トランス装置では、複数の、例えば２個以上の圧電トランスを積層して実装する構造であっても、２段目以降に積載される第２の圧電トランスの実装面積又は実装領域が、第１の圧電トランスの実装面積又は実装領域よりも大きくなることがない。つまり、圧電トランスの実装面積が１個分に収められる。したがって、圧電トランス装置における圧電トランス全体の実装面積が常に最小化され、それだけ高密度な圧電トランスの実装が実現される。
【０００７】
好ましくは、第１及び第２のケース体は、互いに共通の所定形状を有する。この場合、複数の圧電トランスでケース体の形状を共通化しているため、第２の圧電トランスは、回路基板上に投影した実装面積又は実装領域が、第１の圧電トランスの回路基板内に占める実装面積又は実装領域に合致した状態で重なり合う。
また、全ての圧電トランスについてケース体の形状が共通化されるため、ケース体の位置を合わせて積層した場合、何段に重ねても回路基板上での実装面積がケース体の１個分よりも拡大することはない。これは、圧電トランスを３段目以降に積層する場合についても同様である。
更に、複数の圧電トランスでケース体を個別の形状とする必要がなく、部品の共通化が可能であるため、個別にケース体を設計・製造する場合に比較して製造コストを低減することができる。
【０００８】
本発明において、好ましくは、複数の圧電トランスの電気的な接続は以下の構成により行われる。すなわち、第１及び第２のケース体は、それぞれ側面から突出して形成された突出部を有する。
第１の圧電トランスは、第１のケース体の突出部を上下方向に貫通して延びる第１の導電部材を有する。第１の導電部材の下端部は、回路基板の配線パターンに接続される第１の実装用端子として形成される。第１の導電部材の上端部は、突出部の上面に沿って屈曲されて、第２の圧電トランスと接続される第１の接続用端子として形成されている。
【０００９】
第２の圧電トランスは、第２のケース体の突出部を上下方向に貫通して延びる第２の導電部材を有する。第２の導電部材の下端部は、突出部の下面に沿って屈曲されて第１の圧電トランスの接続用端子と接続される第２の実装用端子として形成されている。第１の圧電トランス上に第２の圧電トランスを積載した状態で、第２の実装用端子と第１の接続用端子とは相互に接合される。
【００１０】
上記のように、第１の圧電トランスと第２の圧電トランスとの間では、第１の接続用端子及び第２の実装用端子が、対応する上面及び下面に沿ってそれぞれ屈曲されている。このため、第１の圧電トランス上に第２の圧電トランスを積載すると、第１の接続用端子と第２の実装用端子とが略同一面内で平行に重なり合う。この結果として、第１の接続用端子及び第２の実装用端子の互いの接合作業、例えば半田付け作業や熱硬化型の導電性ペーストの塗布作業等、が容易に行われる。
【００１１】
本発明の一態様では、第１及び第２のケース体の各側面から第１の接続用端子及び第２の実装用端子が離隔して設けられていることにより、これらの間に接合作業用の空間が確保されている形態であってもよい。
【００１２】
これにより、第１の接続用端子と第２の実装用端子との接合作業がよりしやすくなり、圧電トランス装置の生産効率が大きく向上する。
【００１３】
また第１の圧電トランスは、第１のケース体の上部に設けられ、第２の圧電トランスを積載した状態で第２のケース体を第１のケース体に対して位置決めする案内部を有する形態であってもよい。
【００１４】
上記の形態であれば、圧電トランス装置の組み立て作業時に第２の圧電トランスの座りが安定させられ、第１の接続用端子と第２の実装用端子との接合作業性がさらに向上する。
【００１５】
より具体的には、上記の案内部は第１のケース体の上面から上方に突出した形態である。また突出部は、少なくとも第２のケース体の下面から下方に突出している形態である。これにより、第２の圧電トランスが第１の圧電トランス上に積載された状態で、突出部が案内部に案内されることで第２のケース体が第１のケース体に対して位置決めされる。
【００１６】
この場合、第１の圧電トランス上に第２の圧電トランスを積載する際、案内部が突出部を引っかけながら第２のケース体を位置決めする。また、位置決めした後も引き続き案内部が突出部に接するので、第１の接続用端子と第２の実装用端子との接合作業時に第２の圧電トランスが位置ずれすることがなく、より作業性が向上する。
【００１７】
また本発明の一態様において、好ましくは、突出部及び導電部材は、第１及び第２のケース体にそれぞれ４箇所ずつ設けられている。第１の圧電トランスでは、第１のケース体に形成された４箇所の突出部のうち２箇所については、第１の実装用端子及び第１の接続用端子が圧電体の２つの一次側電極にそれぞれ接続される。４箇所の突出部のうちその他の２箇所では、一方の第１の実装用端子及び第１の接続用端子が圧電体の二次側電極に接続され、その他方の第１の実装用端子及び第１の接続用端子が圧電体とは非接続である。
【００１８】
また第２の圧電トランスでは、第２のケース体に形成された４箇所の突出部のうち２箇所については、第２の実装用端子が圧電体の２つの一次側電極にそれぞれ接続されている。４箇所の突出部のうちその他の２箇所では、一方の第２の実装用端子が圧電体とは非接触であり、その他方の第２の実装用端子が圧電体の二次側電極に接続されている。
【００１９】
このとき第１の圧電トランス上に第２の圧電トランスを積載した状態で、第２の圧電トランスについて圧電体の二次側電極に接続された他方の第２の実装用端子は、第１の圧電トランスについて圧電体とは非接続である他方の第１の接続用端子と接合されている。そして、第２の圧電トランスについて圧電体の二次側電極とは非接続である一方の第２の実装用端子は、第１の圧電トランスについて圧電体の二次側電極に接続された一方の第１の接続用端子と接合されている。
【００２０】
本発明の一態様のように、複数の圧電トランスを積載して実装する場合、回路基板上に直接実装されない圧電トランスの電気的な接続をどのようにするかが１つのポイントとなる。先に挙げた先行技術では、上側の圧電トランスについてはケース体の側面にアーム状の端子支持部が形成され、その下部に二次側端子が配置され、これを用いて回路基板に直接実装する構造が採用されている。しかしながら、この場合には、上側の圧電トランスと下側の圧電トランスとでケース体の構造が別々となるし、下側と上側とでそれぞれ圧電トランスを個々に回路基板に実装する必要があり、それだけ作業工数がかかる。
【００２１】
この点、本発明の好ましい態様では、複数の圧電トランスでケース体の形状を共通化しており、第２の圧電トランスを直接回路基板に実装することは基本的にできないので、第２の圧電トランスの端子を第１の圧電トランスの端子と接合して実装する構造を採用している。これにより、圧電トランス装置全体を回路基板に実装する際、使用する端子は第１の圧電トランスの端子のみであるため、それだけ作業工数が減らされる。また、第１の圧電トランスと第２の圧電トランスとで互いの端子同士を予め接合しておくことにより、圧電トランス装置全体としての構造が強固になり、実装作業時の安定性を高めることができる。
【００２２】
また第１及び第２のケース体は、外側から視認可能な位置に互いの組み付け方向を指示する指示手段を有することが好ましい。
【００２３】
上記のように圧電体には一次側電極と二次側電極とがあり、これら一次側電極及び二次側電極の位置を正しく合わせた上で、２つの圧電トランスを組み付ける必要がある。しかしながら、圧電体はケース体に収容される構造であるため、組み付け作業時に外見からどの方向に一次側電極及び二次側電極がそれぞれ位置しているのかが直ちには分かりづらい。
【００２４】
そこで本発明の好ましい態様では、ケース体に外部から視認可能な指示手段を設けている。指示手段によって、２つの圧電トランスの組み付け時において、一見してこれらの組み付け方向が容易に判別され、組み付け作業時のミスがなくなり、それだけ生産効率が向上する。
【００２５】
上述したように本発明に係る圧電トランス装置は、複数の圧電トランスを用いた場合であっても、回路基板上での実装面積を最小化し、より高密度な実装を可能とする。また、本発明に係る圧電トランス装置によれば、複数の圧電トランス同士を組み付ける際の作業性が向上し、圧電トランス装置の生産効率が大きく向上する。
【図面の簡単な説明】
【００２６】
【図１】一実施形態の圧電トランス装置の構造を示した一側面図である。
【図２】図１と反対側から圧電トランス装置の構造を示した一側面図である。
【図３】上段の圧電トランスを単独で示す底面図である。
【図４】上段の圧電トランスを単独で示す平面図である。
【図５】圧電トランス装置全体の正面図である。
【発明を実施するための最良の形態】
【００２７】
以下、本発明の実施形態について図面を参照しながら説明する。
図１は、一実施形態の圧電トランス装置の構造を示した一側面図である。また図２は、同じく圧電トランス装置の構造を示した一側面図（図１と反対側）である。【００２８】
本実施形態の圧電トランス装置は、下段の圧電トランス１００の上に、上段の圧電トランス２００を積載した構造を有する。これら２つの圧電トランス１００，２００は構造的・電気的に相互に連結されており、図示しない回路基板に対し、下段の圧電トランス１００を向き合わせた状態で実装される。【００２９】
〔圧電体〕
下段及び上段の圧電トランス１００，２００は、いずれも樹脂製のケース体１４に長板状又は平板状の圧電セラミックス１２を収容した基本的な構造を有する。全体としての実装高さを抑えるため、圧電セラミックス１２が平置き状態で収容され、圧電セラミックス１２の厚み方向が上下方向に一致している。【００３０】
個々の圧電セラミックス１２には、図１及び図２に示される状態で上下の面にそれぞれ一次側電極１２ａが形成されている。圧電セラミックス１２の下面には、一次側電極１２ａと反対側の一端部に二次側電極１２ｂが形成されている。圧電セラミックス１２においては、一次側電極１２ａが形成されている部分が駆動部として機能し、一次側電極１２ａが形成されていない部分が発電部として機能する。【００３１】
〔ケース体〕
本実施形態では、下段及び上段の圧電トランス１００，２００について、共通した形状のケース体１４が用いられている。各ケース体１４は、圧電セラミックス１２よりも大きな外形をなし、その内部には凹形状の収容部１４ｃが形成されている。ケース体１４の下面は開口しており、この開口からケース体１４の内部に向けて収容部１４ｃが延びている。【００３２】
収容部１４ｃには、図示のように圧電セラミックス１２を平置きした姿勢で収容することができ、収容部１４ｃは、圧電セラミックス１２よりも一回り大きい形状又は容積を有している。圧電セラミックス１２は、ケース体１４すなわち収容部１４ｃに収容された状態で、例えば図示しないシリコーン接着剤等によって接着される。このため圧電セラミックス１２は、駆動時にケース体１４の内部で自在に振動することができ、その振動はシリコーン接着剤で吸収される。【００３３】
〔突出部〕
ケース体１４には、その両側面にそれぞれ２箇所ずつ、合計４箇所にブロック形状の突出部１４ａが一体に形成されている。これら突出部１４ａは、それぞれケース体１４の側面から、ある程度の厚みをもって側方へ突出している。さらに突出部１４ａは、ケース体１４の下面の開口から僅かに下方へも突出している。なお、図示の例では、４箇所の突出部１４ａが同じ形状として示されているが、場所ごとに突出部１４ａの形状が異なっていてもよい。【００３４】
〔導電部材〕
各突出部１４ａには、それぞれ導電部材１８，１８，２０，２２が挿通されている。各突出部１４ａには、導電部材１８，１８，２０，２２のための挿通穴１４ｂが形成されており、この挿通穴１４ｂは、各突出部１４ａの内部を縦方向に貫通して延びている。各導電部材１８，１８，２０，２２は、例えば金属製の棒体、いわゆるリードピンである。図示の例では断面が角形状となっているが、導電部材１８，１８，２０，２２は平板状でもよいし、丸棒形状であってもよい。なお導電部材１８，１８，２０，２２の形態は、下段の圧電トランス１００と上段の圧電トランス２００とでは異なる。以下、この点について説明する。【００３５】
〔第１の実装用端子〕
下段の圧電トランス１００では、各導電部材１８，１８，２０，２２が逆Ｌ字形状に屈曲された状態で、各突出部１４ａの挿通穴１４ｂに挿通されている。導電部材１８，１８，２０，２２の下端部は、各突出部１４ａから下方に突出しており、これら下端部がそれぞれ実装用端子１８ａ，１８ａ，２０ａ，２２ａとして形成されている。圧電トランス装置は全体として、これら実装用端子１８ａ，１８ａ，２０ａ，２２ａを用いて図示しない回路基板に実装、例えば挿入実装される。なお、圧電トランス装置は、実装用端子１８ａ，１８ａ，２０ａ，２２ａを屈曲した状態で、回路基板に面実装されてもよい。【００３６】
〔第１の接続用端子〕
一方、導電部材１８，１８，２０，２２の上端部は、各突出部１４ａの上面にてケース体１４の上面に沿って水平方向に屈曲されており、図示の例では、ケース体１４の長手方向に沿って両外側に向けて各上端部が延びている。これら上端部はそれぞれ接続用端子１８ｂ，１８ｂ，２０ｂ，２２ｂとして形成されており、上段の圧電トランス２００は、これら接続用端子１８ｂ，１８ｂ，２０ｂ，２２ｂを介して下段の圧電トランス１００に連結される。【００３７】
ここで、導電部材１８，１８，２０，２２の違いについて説明する。
導電部材１８，１８は、圧電セラミックス１２の２箇所の一次側電極１２ａにそれぞれ接続される。導電部材１８，１８は、図１中では、ケース体１４の左側の一端寄り、図２中では右側の一端寄りの位置でそれぞれ両側に対をなして設けられている。ケース体１４の収容部１４ｃ内で各一次側電極１２ａにはそれぞれ導電線１６、例えば金糸線が半田付けされている。これら導電線１６，１６は収容部１４ｃからケース体１４の両外側に１本ずつ引き出され、両側の接続用端子１８ｂ，１８ｂに絡げ付けた状態で半田付けされている。なお、導電線１６は実装用端子１８ａに半田付けされていてもよい。【００３８】
次に導電部材２０，２２は、ケース体１４の長手方向でみて導電部材１８，１８と反対側寄りの位置でそれぞれ両側に対をなして設けられている。圧電セラミックス１２の二次側電極１２ｂにも導電線１６が半田付けされているが、二次側電極１２ｂは１箇所だけである。このため、導電線１６は、一方の導電部材２０だけに半田付けされている。なお二次側電極１２ｂについても、導電線１６は収容部１４ｃからケース体１４の一方の外側に引き出され、そして接続用端子２０ｂ（図２参照）に絡げ付けた状態で半田付けされている。【００３９】
他方の導電部材２２は、下段の圧電トランス１００に関しては、圧電セラミックス１２と電気的に非接続であり、いわゆる空端子となっている。これに対し、上段の圧電トランス２００に関しては、導電部材２２は、圧電セラミックス１２の二次側電極１２ｂと電気的に接続されている。なお、導電部材２２の接続関係についてはさらに後述する。【００４０】
次に上段の圧電トランス２００では、各導電部材１８，１８，２０，２２が各突出部１４ａの挿通穴１４ｂに挿通された状態で、全体として略Ｃ字形状に屈曲されている。すなわち、導電部材１８，１８，２０，２２の上端部が、各突出部１４ａの上方でケース体１４の上面に沿うように、且つ、導電部材１８，１８，２０，２２の下端部が、各突出部１４ａの下方でケース体１４の下面に沿うように、導電部材１８，１８，２０，２２が屈曲されている。なお図示の例では、ケース体１４の長手方向でみた両外側に向けて各上端部及び下端部が延びている。【００４１】
〔第２の実装用端子〕
図３は、上段の圧電トランス２００を単独で示す底面図である。また図４は、上段の圧電トランス２００を単独で示す平面図である。以下、図１及び図２に加えて、これら図３及び図４を参照しつつ説明する。【００４２】
上段の圧電トランス２００に関しては、各導電部材１８，１８，２０，２２の下端部がそれぞれ実装用端子１８ｃ，１８ｃ，２０ｃ，２２ｃとして形成されている。図１及び図２に示されているように、上段の圧電トランス２００は、これら実装用端子１８ｃ，１８ｃ，２０ｃ，２２ｃを下段の接続用端子１８ｂ，１８ｂ，２２ｂ，２０ｂにそれぞれ接続することで、下段の圧電トランス１００を介して回路基板に実装される。【００４３】
なお本実施形態では、上段の圧電トランス２００に関しては、導電部材１８，１８，２０，２２の各上端部１８ｄ，１８ｄ，２０ｄ，２２ｄは特に接続用端子として使用されないが、図示されていない３段目以降の他の圧電トランスが設けられる場合、各上端部１８ｄ，１８ｄ，２０ｄ，２２ｄが接続用端子として使用される。【００４４】
導電部材１８，１８，２０，２２の違いについては、下段の圧電トランス１００と同様である。すなわち、導電部材１８，１８は、図１、図３及び図４中では、ケース体１４の左側の一端寄り、図２中では右側の一端寄りの位置でそれぞれ両側に対をなして設けられている。一次側電極１２ａに半田付けされた２本の導電線１６，１６は、収容部１４ｃからケース体１４の両外側に１本ずつ引き出され、そして両側の上端部１８ｄ，１８ｄにそれぞれ絡げ付けた状態で半田付けされている。なお、導電線１６は実装用端子１８ｃに半田付けされていてもよい。【００４５】
また導電部材２０，２２は、下段の圧電トランス１００と同様に、ケース体１４の長手方向でみて導電部材１８と反対側寄りの位置でそれぞれ両側に対をなして設けられている。図３及び図４に示されているように、二次側電極１２ｂに半田付けされた導電線１６は、一方の導電部材２０の上端部２０ｄに絡げ付けた状態で半田付けされている。二次側電極１２ｂについても、導電線１６は実装用端子２０ｃに半田付けされていてもよい。なお下段の圧電トランス１００に関しても、他方の導電部材２２は圧電セラミックス１２と電気的に非接続であり、いわゆる空端子となっている。【００４６】
ここで図１及び図２に示されているように、上段の圧電トランス２００と下段の圧電トランス１００とでは、導電部材２０，２２の配置が両側面で逆となっている。すなわち、２つの圧電トランス１００，２００を上下に重ね合わせると、ケース体１４の一方の側面では下段の導電部材２０の上に上段の導電部材２２が位置し、他方の側面では下段の導電部材２２の上に上段の導電部材２０が位置する。【００４７】
〔組み付け作業性の改善〕
次に、圧電トランス装置の組み付け作業において、上段の圧電トランス２００の積載時に座りを安定化させるための構成について説明する。【００４８】
図５は、圧電トランス装置全体の正面図である。なお図５では、二次側電極１２ｂを正面の方向としている。以下、図１〜図４に図５を追加して説明する。【００４９】
〔案内部〕
各ケース体１４には、予めその上面の４箇所に突起状の案内部１４ｄが一体として形成されている。案内部１４ｄは、例えば各突出部１４ａの上方で、ケース体１４の各側面と面一に位置し、ケース体１４の上面からある程度の高さまで上方へ突出している。なお図示の例では、ケース体１４の長手方向で案内部１４ｄの長さが突出部１４ａの幅と同等となっているが、特にこれに限られるものではない。【００５０】
一方、各突出部１４ａの下端部は、ケース体１４の下面からある程度の長さだけ下方に突出している。このため図１、図２及び図５に示されているように、下段の圧電トランス１００の上に上段の圧電トランス２００を積載すると、上段の突出部１４ａの下端部が下段の案内部１４ｄの側面に沿って案内され、ケース体１４同士が相互に位置決めされる。またこのとき、互いの接続用端子１８ｂ，１８ｂ，２０ｂ，２２ｂと実装用端子１８ｃ，１８ｃ，２２ｃ，２０ｃとがそれぞれ上下に重なり合う。【００５１】
上記のように下段の圧電トランス１００の上に上段の圧電トランス２００を積載すると、今度は各案内部１４ｄに突出部１４ａの下端部が接した状態となり、そのまま上段の圧電トランス２００の座りを安定化させることができる。これにより、接続用端子１８ｂ，１８ｂ，２０ｂ，２２ｂと実装用端子１８ｃ，１８ｃ，２２ｃ，２０ｃとの接合作業、例えば、半田付けや熱硬化型導電性ペーストの塗布を効率よく行うことができる。【００５２】
〔接合作業用空間〕
また図３及び図４に示されているように、各導電部材１８，１８，２０，２２は、ケース体１４の両側面からある程度の間隔だけ離れた位置に設けられている。これは下段の圧電トランス１００についても同様である。このように、ケース体１４の両側面と接続用端子１８ｂ，１８ｂ，２０ｂ，２２ｂ、実装用端子１８ｃ，１８ｃ，２２ｃ，２０ｃとの間には、接合作業用の空間が確保されているため、圧電トランス装置の製造過程で、これらの接合作業を極めて容易に行うことができる。【００５３】
〔上段の圧電トランスの電気的接続〕
上段の圧電トランス２００については、互いに極性の異なる２箇所の一次側電極１２ａがそれぞれ実装用端子１８ｃを通じて下段の圧電トランス１００の接続用端子１８ｂに接続される。このとき上段と下段とで一次側電極１２ａの極性を互いに一致させることで、２つの圧電トランス１００，２００の入力側を並列に構成することができる。【００５４】
また図５に示されているように、上段の圧電トランス２００については、二次側電極１２ｂが一方の、図５では左側の実装用端子２０ｃを通じて下段の接続用端子２２ｂに接続されることで、下段で空端子となっていた実装用端子２２ａを介して実装用端子２０ｃが回路基板に接続される。これにより、上段の圧電トランス２００が、特別に長い端子を用いることなく、容易に回路基板へ実装される。【００５５】
〔方向の指示〕
なおケース体１４には、例えば長手方向でみた一端面にマーカ部１４ｅが一体にして形成されている。このマーカ部１４ｅは、圧電トランス１００，２００の組み付け時に互いの方向を合わせるための印である。マーカ部１４ｅは、外部から容易に視認可能な位置に突出して形成されているため、例えば組み付け作業者は、マーカ部１４ｅの向きを合わせながら上下段の圧電トランス１００，２００を組み付ければよい。これにより、単純な作業ミス、例えば一次側電極１２ａと二次側電極１２ｂを接合する等のミスが確実に防止される。【００５６】
上述した一実施形態の圧電トランス装置は、複数ある圧電トランス１００，２００で互いのケース体１４の形状が共通であるため、以下のような利点を生じる。【００５７】
（１）ケース体１４の設計や製造過程、例えば金型等が共通化され、それだけ設計や製造にかかる工数が抑えられ、製造コストの低減が実現される。【００５８】
（２）複数段に圧電トランス１００，２００を重ねて圧電トランス装置を構成しても、全体として１個分以上に実装面積が増大することがない。このため、回路基板に対してより高密度に圧電トランス１００，２００が実装される。【００５９】
またケース体１４の構造上の改良、例えば突出部１４ａや作業用空間等により、圧電トランス１００，２００の組み付け作業や半田付の作業性が向上し、圧電トランス装置の生産効率が大きく向上する。【００６０】
本発明は上述した実施形態に制約されることなく、種々に変形して実施可能である。例えば、圧電セラミックス１２の形状は図示のものに限られず、その他の形状であってもよい。またケース体１４の形状は、圧電セラミックス１２の外形に合わせて適宜に変形が可能である。【００６１】
一実施形態では、上下段の圧電トランス１００，２００で共通形状のケース体１４を使用しているが、異なる形状のケース体を使用してもよい。例えば、下段の圧電トランス１００については一実施形態と同じ形状のケース体１４を使用し、上段の圧電トランス２００については、ケース体１４よりも回路基板上に投影したときの実装面積又は実装領域が小さいものを使用してもよい。この場合であっても、上段の圧電トランス２００は下段の圧電トランス１００の実装面積又は実装領域の範囲内に収めることで、回路基板内での圧電トランス装置の実装面積が最小化される。【００６２】
一実施形態では、圧電トランス１００，２００を上下２段に積層した例を挙げているが、圧電トランス装置は３段以上の圧電トランスを有していてもよい。一実施形態では上下の圧電トランス１００，２００で二次側電極１２ｂ同士を絶縁しているが、これらを接続してもよい。【００６３】
一実施形態では、マーカ部１４ｅとして突起形状のものを例に挙げているが、窪み形状のものであってもよい。また、方向の指示を行う手段は、ケース体１４の外面に印刷やレーザー捺染等で施されたマーキングであってもよい。【００６４】
その他、一実施形態において図示とともに挙げた構造はあくまで好ましい一例であり、基本的な構造に各種の要素を付加し、あるいは一部を置換しても本発明を好適に実施可能であることはいうまでもない。
【符号の説明】
【００６５】
１２    圧電セラミックス（圧電体）
１２ａ  一次側電極
１２ｂ  二次側電極
１４    ケース体
１４ａ  突出部
１４ｃ  収容部
１４ｄ  案内部
１４ｅ  マーカ部（指示手段）
１６    導電線
１８，２０，２２  導電部材
１８ａ，２０ａ，２２ａ  実装用端子
１８ｂ，２０ｂ，２２ｂ  接続用端子
１８ｃ，２０ｃ，２２ｃ  実装用端子
１００，２００  圧電トランス
【図１】
0005474572.tif 000002
【図２】
0005474572.tif 000003
【図３】
0005474572.tif 000004
【図４】
0005474572.tif 000005
【図５】
0005474572.tif 000006